(57)【要約】【課題】  有線または無線LANを用いてコンテンツの伝送を行なう際に伝送経路でエラーが発生した時、再生映像が停止する問題を解決する。また、再生映像が停止しても直ぐに再生できるようにする。【解決手段】  コンテンツ送信装置はコンテンツ受信装置とコンテンツの伝送を行なう際、暗号情報のみを別経路でコンテンツ受信装置に伝送する。また、上記方式と組み合わせて暗号データをコンテンツ受信装置に伝送する際、伝送するIPパケットのサイズを最適にする。【選択図】  図１
2006352185.tif 000002
【特許請求の範囲】
【請求項１】
ネットワークを介してデータの送受信を行なうネットワーク通信処理手段と、
該ネットワークを介して接続されるコンテンツ受信装置に送信するコンテンツを該ネットワーク通信手段に供給するコンテンツ生成手段と、
該コンテンツ受信装置からの認証要求を受け取って該認証要求に対する認証の判定を行なうと共に該コンテンツ受信装置に対して自身の認証要求を発行する認証手段と、
該認証手段で認証処理を実行して得られる情報を元に生成した情報によって鍵情報を生成し該鍵情報により該コンテンツ受信装置に送信するコンテンツを暗号化する暗号化手段と、
該コンテンツ受信装置への認証要求の送信もしくは該コンテンツ受信装置からの認証要求に対する応答の送信に対する該コンテンツ受信装置からの受信確認の到達までの時間を計測するタイマー手段とを有し、
暗号化に使用した暗号化情報と暗号化データを上記コンテンツ受信装置へ送信する際に使用する経路とは別の経路をコンテンツ受信装置との間に確保し、暗号化情報を該確保した経路を使ってコンテンツ受信装置に送信することを特徴としたコンテンツ送信装置。
【請求項２】
請求項１記載のコンテンツ送信装置において、暗号化に使用した暗号化情報と暗号化データをコネクションレス型接続でコンテンツ受信装置へ送信している時、暗号化情報をコネクション指向型接続でコンテンツ受信装置へ送信することを特徴としたコンテンツ送信装置。
【請求項３】
請求項１記載のコンテンツ送信装置において、暗号化に使用した暗号化情報と暗号化データをRTPでコンテンツ受信装置へ送信している時、暗号化情報を該RTPを制御するRTCPの一部に記述して送信することを特徴としたコンテンツ送信装置。
【請求項４】
ネットワークを介してデータの送受信を行なうネットワーク通信処理手段と、
該ネットワークを介して接続されるコンテンツ送信装置から受信するコンテンツを該ネットワーク通信手段受け取るコンテンツ受信処理手段と、
該コンテンツ送信装置に認証要求を発行して送るとともに該コンテンツ送信装置から受信した認証要求に対する認証の判定を行なう認証手段と、
該認証手段で認証処理を実行して得られる情報を元に生成した情報によって鍵情報を生成し該鍵情報により該コンテンツ送信装置から受信したコンテンツの復号化処理を行なう復号化手段と、
該コンテンツ送信装置への認証要求の送信もしくは該コンテンツ送信装置からの認証要求に対する応答の送信に対する該コンテンツ送信装置からの受信確認の到達までの時間を計測するタイマー手段とを有し、
コンテンツ送信装置から送信される暗号化情報と暗号化データを受信する経路とは別の経路をコンテンツ送信装置との間で確保し、暗号化情報のみを該確保した経路を使って受信することを特徴としたコンテンツ受信装置。
【請求項５】
請求項４記載のコンテンツ受信装置において、暗号化情報と暗号化データをコネクションレス型接続でコンテンツ送信装置から受信している時、暗号化情報をコネクション指向型接続でコンテンツ送信装置から受信することを特徴としたコンテンツ受信装置。
【請求項６】
請求項４記載のコンテンツ受信装置において、暗号化情報と暗号化データをRTPでコンテンツ送信装置から受信している時、暗号化情報をRTPを制御するRTCPで受信することを特徴としたコンテンツ受信装置。
【請求項７】
請求項１から３のいずれかに記載のコンテンツ送信装置において、暗号化情報と暗号化データは、復号に最適なバイト数で、ネットワークを介してコンテンツ受信装置に送信されることを特徴としたコンテンツ送信装置。
【請求項８】
請求項４から６のいずれかに記載のコンテンツ受信装置において、暗号化情報と暗号化データは、復号に最適なバイト数で、ネットワークを介してコンテンツ送信装置から受信することを特徴としたコンテンツ受信装置。
【発明の詳細な説明】
【技術分野】
【０００１】
本発明は、映像音声等のコンテンツをネットワークを介して送受信するのに際して、伝送されるコンテンツの著作権を保護するのに好適な送信装置、受信装置に関するものである。
【背景技術】
【０００２】
パーソナルコンピュータ（以下PCと記す）の演算速度や記憶容量など処理能力の発展に伴い、PCに内蔵されるハードディスクドライブ（以下HDDと記す）も大容量化が進んでいる。こうした状況のもとで最近では一般の家庭で利用されるようなランクのPCにおいてもHDDを利用してTV放送番組を録画し、これをPCのディスプレイで視聴を行なうといった使い方ができるようになってきた。またその一方では大容量HDDの低価格化により、家庭用の録画装置としてもHDDを内蔵してこれに映像音声情報をデジタル記録するようなHDD録画装置が登場してきており、ディスクを録画媒体として使うことに拠る使い勝手の良さが着目されている。またPCの高速大容量化と平行してインターネットも急速に普及しており、光ファイバ等を利用した高速なネットワークシステムが発達してきている。上記PCやネットワークシステムの発達により、PCで使用するデジタルデータだけではなく、映像信号や音声信号等をデジタル化し、高画質な映像信号や音声信号をリアルタイムに伝送することが可能となっている。
【０００３】
かかる状況において、上記録画装置に有線あるいは無線LAN（Local Area Network）のインターフェースを搭載して、ネットワークを介して他のPCあるいは受信装置に送信して、宅内のどこでも録画された映像音声情報を視聴できるようにした装置の例が非特許文献１に記載されている。
しかしながら有線或いは無線のLANにおいてリアルタイム性を要するデータを伝送する場合、ネットワーク網の混雑によりIP（Internet Protocol）パケットに格納されたデータが途中経路にて損失し、リアルタイム性を損ねる問題が生じる。そこで例えば特許文献１では、ネットワークシステムにおいて、要求されるデータの伝送過程で、データにエラーが発生しても要求されたすべてのデータの伝送終了後に、エラーが発生したデータについての再送を行なうようにすることでデータの再送によるネットワーク網の混乱を回避することでリアルタイム性を損なわずに継続的に通信可能であると開示されている。また、例えば特許文献２ではARQ（Automatic Repeat reQuest）機能により、再送要求を効率的に利用し、データ受信端末は再生処理時間、伝播遅延時間（RTT：Round Trip Time）を考慮し、再生処理に間に合わない場合には再送要求処理を実行しない構成とすることで、高品質なデータ再生を可能とするデータ通信システムについて開示されている。
【０００４】
【特許文献１】特開平１０−３１３３５０号公報（第１２頁  [０１１１]）
【特許文献２】特開２００３−１６９０４０号公報（第２７頁  図１１）
【非特許文献１】東芝レビュー、Ｖｏｌ．５７  Ｎｏ９．（第６−７頁）
【発明の開示】
【発明が解決しようとする課題】
【０００５】
前記特許文献１は、要求されるデータの伝送過程でデータにエラーが発生した場合、要求された全てのデータの伝送終了後に、エラーが発生したデータについての再送を行なうようにするもので、前記特許文献２は、再送要求を効率的に利用し、再送処理に間に合わない場合には再送要求処理を実行しない構成とある。上記特許文献１は、例えばコンテンツの著作権保護について考慮されたDTCP-IP(Digital Transmission Content Protection over Internet Protocol)方式でデータを暗号化して伝送する場合、エラーが発生したデータが例えば暗号情報が組み込まれたものであると、当該暗号情報が組み込まれたデータが再送で到着するまで、暗号データの復号ができなくなる。また、前記特許文献２に示す再送処理に間に合わない場合には再送要求処理を実行しない構成とすると、暗号情報が組み込まれたデータに対して再送要求処理を行なわなければ、受信装置側で暗号情報が理解できず、復号ができなくなる。
【０００６】
本発明の目的は、IPネットワークにおいて上記暗号情報が組み込まれたデータにエラーが発生した場合でも、受信装置で復号処理が可能なシステムを提供することである。
【課題を解決するための手段】
【０００７】
上記問題を解決するために本発明では、有線または無線LANを介してコンテンツの送受信を行なうコンテンツ送信装置において、ネットワークを介してデータの送受信を行なうネットワーク通信処理手段と、ネットワークを介して接続されるコンテンツ受信装置に送信するコンテンツをネットワーク通信手段に供給するコンテンツ生成手段と、コンテンツ受信装置からの認証要求を受け取って認証要求に対する認証の判定を行なうと共に、コンテンツ受信装置に対して自身の認証要求を発行する認証手段と、認証手段で認証処理を実行して得られる情報を元に生成した情報によって鍵情報を生成し、この鍵情報によりコンテンツ受信装置に送信するコンテンツの暗号化手段と、コンテンツ受信装置への認証要求の送信もしくはコンテンツ受信装置からの認証要求に対する応答の送信に対するコンテンツ受信装置からの受信確認の到達までの時間を計測するタイマー手段とを有し、暗号化に使用した暗号化情報と暗号化データを上記コンテンツ受信装置へ送信する際に使用する経路とは別の経路をコンテンツ受信装置との間に確保し、暗号化情報を確保した経路を使ってコンテンツ受信装置に送信するようにしている。
【０００８】
これにより通常の経路上で暗号化情報にエラーが発生してコンテンツ受信装置に到着しなくても、暗号化情報伝送に確保した経路で暗号化情報を入手でき、復号・再生が可能となる。即ち、有線または無線のLANを介してコンテンツデータの伝送の際、コンテンツデータエラーにおける映像再生処理が停止する問題を解決し、またエラーの発生によって再生できない時間を最小に抑えることができる。
【発明の効果】
【０００９】
本発明によれば、IPネットワークにおいて暗号情報が組み込まれたデータにエラーが発生した場合でも、受信装置で復号処理が可能なシステムを実現することができる。
【発明を実施するための最良の形態】
【００１０】
以下、本発明の実施形態について図面を用いて説明する。
【実施例１】
【００１１】
図１は本発明の一実施形態であるコンテンツ送信装置１００およびコンテンツ受信装置２００の構成を示したものであり、コンテンツ送信装置１００とコンテンツ受信装置２００とは互いにLANを介して接続されている。コンテンツ送信装置１００において、１０１はコンテンツ送信装置２００にコンテンツを送り出すコンテンツ送信回路、１０２はコンテンツ送信回路１０１の出力するコンテンツを暗号化する暗号化回路、１０３は暗号化回路１０２の出力および認証回路１０４の入出力をLANを介して他の装置とやり取りするネットワーク通信処理回路、１０４はLAN上に接続される他の装置との間で情報をやり取りして装置間の相互認証を行なう認証回路１０５は認証回路１０４での処理に必要な情報を蓄える不揮発メモリ、１０６は認証回路１０４の情報に基づき暗号化回路１０２でコンテンツ暗号化のために必要な鍵情報を生成する鍵生成回路、１０７は認証回路１０４が発生する認証要求などの情報を他の装置に送信してから該情報に対する受信確認が到達するまでの時間を測定するタイマー回路、であり、コンテンツ送信回路１０１から送信されるコンテンツにはその取り扱い方を示す「Copy free」「Copy one generation」「No more copies」「Copy never」の識別コードを付してコンテンツ受信装置２００に送信される。
【００１２】
コンテンツ受信装置２００において、２０１はLANを介して送られてきたコンテンツを受信するコンテンツ受信回路、２０２はコンテンツ送信回路１００の暗号化回路１０２で暗号化されたコンテンツをネットワーク通信処理回路２０３から受け取り複合化してコンテンツ受信回路２０１に出力する複合化回路、２０３は他の装置との間でネットワークを介して複合化回路２０２への入力および認証回路２０４の入出力をやり取りするネットワーク通信処理回路、２０４は他の装置との間で情報をやり取りして装置間の相互認証を行なう認証回路、２０５は認証回路２０４での処理に必要な情報を蓄える不揮発メモリ、２０６は認証回路２０４の出力する情報に基づき複合化回路２０２でのコンテンツ複合化のために必要な鍵を生成する鍵生成回路、２０７は認証回路２０４から他の装置に認証要求などの情報を送信してから該情報に対する受信確認が到達するまでの時間を測定するタイマー回路からなり、受信したコンテンツは該コンテンツと共に送信される「Copy free」「Copy one generation」「No more copies」「Copy never」の識別コードに従って処理され、「Copy free」「Copy one generation」のコンテンツ記録媒体への記録が可能であり、「Copy one generation」のコンテンツを記録した場合にはそれ以後該コンテンツは「No more copies」として取り扱う。
【００１３】
図２は、コンテンツ送信装置１００およびコンテンツ受信装置２００を含む宅内LANの構成例を示したものである。１台のコンテンツ送信装置１００と２台のコンテンツ受信装置２００ａ、２００ｂは有線LANのケーブルによりネットワークハブ装置３００にそれぞれ接続され、ネットワークハブ装置３００はルータ４００に接続される。ルータ４００はモデムや光電変換器などを介してインターネットへ接続される。上記コンテンツ送信装置１００、およびコンテンツ受信装置２００ａ、ｂ、ルータ４００はそれぞれLAN上で自身を識別するIPアドレスを所有する。また各々のネットワーク通信処理回路のインターフェース部には４８ビットのMAC（Media Access Control）アドレスが予め製造時に与えられている。各装置へのIPアドレスの設定は、従来よりネットワークにおけるアドレスの自動設定に広く採用されているDHCP（Dynamic Host Configuration Protocol）により、例えばルータ４００をDHCPサーバとして動作させ、ここから各装置のIPアドレスを割り振るようにすれば良い。なお、IPv6（Internet Protocol Version 6）を用いる場合にはステートレス自動設定と呼ばれる方法によりルータ４００のIPアドレスの上位６４ビットとMACアドレスから各装置が自身のIPアドレスを定めることも可能である。
【００１４】
また、著作権保護されたコンテンツを個人的利用の範囲に制限するため、コンテンツ送信装置１００が例えばコンテンツ受信装置２００ａを認証時に、RTT（Round Trip Time）を測定し、ある規定時間内に応答があると、コンテンツ受信装置２００ａは宅内に存在することが証明され、コンテンツ受信装置２００ａで著作権保護されているコンテンツが視聴可能となる。図３にシーケンス図を示す。
【００１５】
左側がコンテンツ送信装置１００を、右側がコンテンツ受信装置２００ａを示している。コンテンツ送信装置１００とコンテンツ受信装置２００ａ間で認証処理シーケンスが動作している間、若しくは認証処理シーケンスが終了した時に、コンテンツ送信装置１００は、宅内確認要求をコンテンツ受信装置２００ａに送信する。これと同時にタイマー１０７を開始させる。コンテンツ受信装置２００ａは宅内確認要求をコンテンツ送信装置１００から受信後、宅内確認応答をコンテンツ送信装置１００へ送信する。宅内確認応答を受信したコンテンツ受信装置１００は、タイマー１０７を停止させ、タイマー開始からの時間（ΔＴ１）を計算し、ある定数（ΔＴ）以下であるなら、コンテンツ受信装置２００ａを宅内の機器であると認証する。これにより、著作権保護されたコンテンツを個人的利用の範囲に制限することが可能となる。また、逆にコンテンツ受信装置２００ａから宅内確認要求をコンテンツ送信装置１００へ送信してＲＴＴ時間を計測しても良い。
【００１６】
図４は、コンテンツ送信装置１００とコンテンツ受信装置２００との間で伝送されるデータのフォーマットの一例を示す。５０１は暗号情報が記述されており、当該情報に従って、コンテンツ送信装置１００は暗号データ５０２を生成する。コンテンツ受信装置２００は、ネットワークを介して暗号情報５０１と暗号データ５０２を受信し、暗号情報５０１に記述されている情報を基に、暗号データ５０２を復号する。例えば著作権保護のためのDTCP-IP方式では、暗号情報５０１と暗号データ５０２でPCP（Protected Content Packets）と呼ばれるパケットが定義されており、暗号情報５０１はPCPヘッダと呼ばれる。このPCPヘッダには、「Copy free」「Copy one generation」「No more copies」「Copy never」の暗号モードと、コンテンツの暗号化に使用したコンテンツ鍵の一部になる情報と、暗号データ５０２のデータ長等が含まれている。
【００１７】
コンテンツ送信装置１００からコンテンツ受信装置２００へデータ伝送中に、上記PCPヘッダ（暗号情報５０１）がエラーでコンテンツ受信装置２００へデータが届かない場合、暗号データ５０２が復号できない。本発明では、上記暗号情報５０１と暗号データ５０２を送受信している経路とは別経路にて暗号情報５０１を送受信することで、例え暗号情報５０１にエラーが発生してコンテンツ受信装置２００に届かなくても、別経路にて入手した暗号情報５０１を使用して暗号データ５０２を復号できるようになる。
【００１８】
図５は、別経路を例えばTCP/IPのポート番号で行なった時のシーケンス図を示す。
左がコンテンツ送信装置１００を、右がコンテンツ受信装置２００を示している。コンテンツ送信装置１００とコンテンツ受信装置２００はストリーム用ポートと暗号情報用ポートの二つの経路を介して接続されている。ここでストリームポートは、従来使用しているポートで、暗号情報５０１と暗号データ５０２が伝送され、暗号情報用ポートは暗号情報が記述されたパケットのみを伝送するためのポートである。
【００１９】
コンテンツ送信装置１００は、暗号情報用ポートを使用して、コンテンツ受信装置２００へ暗号情報５０１を送信する。コンテンツ受信装置２００は、当該暗号情報５０１を受信後、これを保持する。次にコンテンツ送信装置１００からストリーム用ポートを使用し、暗号情報５０１と暗号データ５０２をコンテンツ受信装置２００へ送信する。この時、伝送エラーが発生して、暗号情報５０１がコンテンツ受信装置２００に到着しないときは、先に保持している暗号情報５０１を使用して暗号データ５０２を復号する。
【００２０】
正常に受信できた場合はストリーム用ポートで受信した暗号情報５０１で暗号データ５０２を復号する。ここで、暗号情報用ポートを使用して暗号情報を伝送する時には、ストリーム用ポートを使用して伝送するときのシーケンス番号と、当該暗号情報を記述しておく。これにより、コンテンツ受信装置２００では、暗号情報用ポートに届いた暗号情報は、どの暗号データに対応しているかの判断がつくため、図５に示すように、暗号情報と暗号データをコンテンツ受信装置２００へ送信する毎に暗号情報を送信する必要はなく、まとめて暗号情報を送信することも可能である。
【００２１】
更に詳しくは、暗号情報５０１の伝送はコネクション指向型（ＴＣＰ）を用いて行なう。暗号情報５０１の伝送にコネクションレス型（ＵＤＰ）で行なうと、ストリーム処理中に経路が混雑して、暗号情報が記述されているＩＰパケットがロスする可能性がある。
【００２２】
例えば、リアルタイム性のあるコンテンツを伝送するときには、ＲＴＰ(Realtime Transport Protocol)が使用される。ＲＴＰはコネクションレス型なので、パケットのロスが発生する。そこで本発明では、RTPをコントロールするＲＴＣＰ（RTP Control Protocol）を使用して、第１実施例で説明した暗号情報５０１を伝送するものである。
RTCPのAPP領域に第１実施例に記載したシーケンス番号と暗号情報を記述する。このRTCPをRTP伝送中にコンテンツ送信装置１００とコンテンツ受信装置２００との間で送受信し、コンテンツ受信装置２００は、RTPの伝送経路でのエラーによりすることにより第１実施例に示す効果が得られることは言うまでもない。
【実施例２】
【００２３】
第２の実施例は、コンテンツ送信装置６００とコンテンツ受信装置７００において無線LANを使ってコンテンツの伝送を行なうものである。図６は無線LANを介したコンテンツ送受信装置を示しており、LANとの接続に無線ネットワーク通信処理回路６０３および７０３を用い、WEP（Wired Equivalent Privacy）暗号処理回路６０８および７０８を備えている。WEPは無線LANにおけるセキュリティ保護の目的で標準的に用いられている公知の暗号化方式であり、送信装置と受信装置の間でセキュリティ保護がなされた通信をユーザ管理下で実現することができる。図７はコンテンツ送信装置６００とコンテンツ受信装置７００を用いた宅内のネットワークの構成の一例を示している。
図７においてデータ送信装置６００と２台のデータ受信装置７００ａ、７００ｂが無線アクセスポイント８００により無線ＬＡＮで接続される。無線ＬＡＮアクセスポイント８００はさらにルータ４００に接続され、ルータ４００は図２に示したルータ４００と同様にしてインターネットに接続される。
【００２４】
図６に示すコンテンツ送信装置６００とコンテンツ受信装置７００との間で相互認証とそれに続くコンテンツの伝送を行なおうとする場合には、認証回路６０４および７０４によりＷＥＰ暗号処理回路６０８および７０８においてＷＥＰ処理が施されているかどうかをチェックする。そしてＷＥＰ処理が使われていなければ、相互認証とそれに続くコンテンツの伝送を行なわないようにするか、もしくは使用者にＷＥＰ処理を起動させるように促す表示を行なうなどの必要な処理をおこなうようにする。
【００２５】
以上のようにして、無線LANを用いてコンテンツの伝送を行なう際には必ずWEP処理が施された状態となるようにする。この結果、コンテンツ送信装置６００およびコンテンツ受信装置７００の使用者が意識しないところで無線LANを介して他のデータ受信装置が接続されてコンテンツの不正なコピーが行われてしまうのを防止する。上記した以外の点に関しては第１の実施の実施例で説明したコンテンツ送信装置およびコンテンツ受信装置により実施されるコンテンツ伝送方法と全く同様にして、コンテンツ映像が停止することなく再生することが可能である。また、著作権の保護を行なうことができ、その際に個人の利用範囲を逸脱したコンテンツの伝送が行なわれないようにすることができる。
【実施例３】
【００２６】
第３の実施例は、コンテンツ送信装置１００から送信されるIPパケットのサイズを最適に調整することである。例えば、DTCP-IPにおいてコンテンツの暗号にはAES-128アルゴリズムのCBC（Cipher Block Chaining）モードで行なわれる。図８にIPパケットのサイズ構成を示す。（ａ）は、通常のIPパケットサイズを（ｂ）は本発明のIPパケットサイズを示す。ここで、MTU（Maximum Transfer Unit）値は予め決められている１５００オクテットとする。通常のIPパケットで暗号データの送受信を行なうと、エラーによりコンテンツ受信装置２００へ到着しなかった場合、次に到着する暗号データを復号する処理が複雑になる。本発明のIPパケット転送方式では、エラー発生で暗号データがコンテンツ受信装置２００に到着しない場合、暗号データを16Byte境界で転送しているため、次に受信した暗号データの最初の16Byteを初期値として復号することができる。このため本実施例では、暗号データがエラーにより途中経路でロスしても、コンテンツ受信装置２００では、次に到着する暗号データから直ぐに復号を行なうことができる。
【００２７】
なお、本実施例ではMTUは予め決められている値（１５００オクテット）を使用した場合について説明したが、MTU値を最適な値（本実施例では１４９６オクテット）に設定することで、パディング処理が必要なくなり、上記同様の効果が得られることは言うまでもない。
以上本発明によれば、ネットワーク上で回線混雑等によってパケットがロスした時、コンテンツの再生が停止する問題を解決でき、また映像が停止しても早期に映像再生が可能となる。
【産業上の利用可能性】
【００２８】
宅内の有線または無線のLANを利用したコンテンツの伝送の際に、コンテンツデータエラーにおける映像再生処理が停止する問題を解決することができる。
【図面の簡単な説明】
【００２９】
【図１】本発明の実施例によるコンテンツ送信装置、コンテンツ受信装置の有線LANを用いた構成を示す図。
【図２】本発明の実施例によるコンテンツ送信装置、コンテンツ受信装置で構成される有線LANのブロック図。
【図３】本発明の実施例のRTT処理シーケンス図。
【図４】本発明の実施例によるコンテンツ送信装置とコンテンツ受信装置との間で伝送されるデータのフォーマットを示す図。
【図５】本発明の実施例のデータ伝送のシーケンス図。
【図６】本発明の実施例によるコンテンツ送信装置、コンテンツ受信装置の無線LANを用いた構成を示す図。
【図７】本発明の実施例によるコンテンツ送信装置、コンテンツ受信装置で構成される無線LANのブロック図。
【図８】本発明の実施例のIPパケット構成図。
【符号の説明】
【００３０】
１００、６００  …コンテンツ送信装置
１０１、６０１  …コンテンツ送信回路
１０２、６０２  …暗号化回路
１０３、６０３  …ネットワーク通信処理回路
１０４、６０４  …認証回路
１０５、６０５  …不揮発性メモリ
１０６、６０６  …鍵生成回路
１０７、６０７  …タイマー回路
２００、７００  …コンテンツ受信装置
２０１、７０１  …コンテンツ受信回路
２０２、７０２  …復号化回路
２０３、７０３  …ネットワーク通信処理回路
２０４、７０４  …認証回路
２０５、７０５  …不揮発性メモリ
２０６、７０６  …鍵生成回路
２０７、７０７  …タイマー回路
３００  …ネットワークハブ装置
４００  …ルータ
５００  …伝送データ
８００  …無線アクセスポイント
【図１】
2006352185.tif 000003
【図２】
2006352185.tif 000004
【図３】
2006352185.tif 000005
【図４】
2006352185.tif 000006
【図５】
2006352185.tif 000007
【図６】
2006352185.tif 000008
【図７】
2006352185.tif 000009
【図８】
2006352185.tif 000010